(57)【特許請求の範囲】
【請求項１】
データ記憶ディスクと、可動ディスク・ヘッドと、前記ディスクとディスク・ヘッドを支持する本体（１５）とを有するディスク・ファイル（１４）用の取付台において、前記取付台は、
ディスク・ファイル（１４）を挿入できる空間を構成するキャリア構造（１３）と、
前記ディスク・ファイル（１４）を前記キャリア構造（１３）に対して運動しないように固定するために、前記ディスク・ファイル空間の周囲に間隔を置いて配置された少なくとも２つの位置において、前記ディスク・ファイル（１４）の前記本体（１５）と前記キャリア構造（１３）との間で作動するように運動可能なくさび手段（１９、２０）とで構成されており、このくさび手段（１９、２０）は各位置において、前記ディスク・ファイル（１４）に作用する第１くさび表面（２２）と、前記キャリア構造（１３）に作用する第２くさび表面（２３）を有しているものにおいて、
前記くさび手段（１９、２０）は、前記ディスク・ファイル（１４）を作動可能状態におくべく前記キャリア構造（１３）に取外し可能に固定するようになされ、前記取付台は、前記くさび手段（１９、２０）を各位置で個別に駆動して異なったくさび運動範囲を可能ならしめるようなくさび係合状態にするための手段（２６）を含むことを特徴とする取付台。
【請求項２】
前記くさび手段（１９、２０）を駆動する手段がばね手段（２６）で構成されることを特徴とする請求項１に記載の取付台。
【請求項３】
前記ディスク・ファイル（１４）がディスク面で前記キャリア構造（１３）に対し回転運動しないように固定される位置に、前記くさび手段（１９、２０）を配置するように構成することを特徴とする請求項１または２に記載の取付台。
【請求項４】
前記キャリア構造（１３）が基部（１６）および、ディスク面が側部を横切るように前記ディスク・ファイル（１４）を両側部の間に挿入するように構成された２つの相対する側部（１７、１８）を有し、前記くさび手段（１９、２０）が可動であり、前記ディスク・ファイル（１４）の本体（１５）とキャリア構造の一方または両方の側部（１７、１８）との間で作動することを特徴とする請求項１ないし３のいずれかに記載の取付台。
【請求項５】
前記くさび手段が、前記キャリア構造（１３）の一方の側部に沿って間隔を置いて配置されたそれぞれ第１および第２位置で、前記ディスク・ファイルの本体（１５）と前記キャリア構造（１３）の前記一方の側部（１８）との間で作動するように構成された第１および第２くさび手段（１９、２０）から成ることを特徴とする請求項４に記載の取付台。
【請求項６】
前記ディスク・ファイル（１４）の他方の側部が、前記キャリア構造（１３）の他方の側部（１７）の固定部と接することを特徴とする請求項５に記載の取付台。
【請求項７】
前記くさび手段が、前記キャリア構造（１３）の前記他方の側部に沿って間隔を置いて配置されたそれぞれ第３および第４位置で、前記ディスク・ファイル（１４）の本体（１５）と前記キャリア構造（１３）の前記他方の側部（１７）との間で作動するように構成された第３および第４くさび手段（１９′、２０′）からさらに成ることを特徴とする請求項５に記載の取付台。
【請求項８】
前記ディスク・ファイル（１４）を前記キャリア構造（１３）に取り付けるときに、前記ディスク・ファイル（１４）のディスク面を横切る方向に移動可能なように、前記くさび手段（１９、２０）を前記キャリア構造（１３）に取り付けることを特徴とする請求項１ないし７のいずれかに記載の取付台。
【請求項９】
前記ディスク・ファイル（１４）を前記キャリア構造（１３）に取り付けるときに、前記ディスク・ファイル（１４）のディスク面に対し実質的に直交方向に移動可能なように、前記くさび手段（１９、２０）を取り付けることを特徴とする請求項８に記載の取付台。
【請求項１０】
各くさび手段（１９）が、前記ディスク・ファイルを前記キャリア構造（１３）に取り付けるときに、前記キャリア構造（１３）と前記ディスク・ファイル（１４）の本体（１５）との間に挿入できるように取り付けられたくさび（２１）から成ることを特徴とする請求項１ないし９のいずれかに記載の取付台。
【請求項１１】
前記くさび手段（１９、２０）が、２つの係合面の摩擦角度の±５０％の角度内のくさび角度で、前記キャリア構造（１３）の表面と係合するくさび面（２３）を有することを特徴とする請求項１ないし１０のいずれかに記載の取付台。
【請求項１２】
前記くさび角度が１０°ないし１５°の範囲内であることを特徴とする請求項１１に記載の取付台。
【請求項１３】
前記取付台が、前記キャリア構造（１３）に対して前記くさび手段（１９、２０）を移動させるための駆動リンク装置（３０、３３、２８）を有し、前記駆動リンク装置が、前記くさび手段（１９、２０）を駆動してくさび係合状態にするための駆動手段（２６）と、前記ディスク・ファイル（１４）を前記キャリア構造（１３）内に挿入したときに、前記ディスク・ファイル（１４）と係合可能な制御部材（３２）とから成り、前記ディスク・ファイル（１４）を前記キャリア構造（１３）内に押し込んだときに、前記制御手段（３２）が前記くさび手段（１９、２０）の前記移動を達成するように構成することを特徴とする請求項１ないし１２のいずれかに記載の取付台。
【請求項１４】
前記駆動リンク装置（３０、３３、２８）は、手動的に操作可能な排出要素（４２）を操作すると、前記制御部材（３２）が逆に移動して、前記くさび手段（１９、２０）のくさび係合を解除するように構成された手動操作可能な排出要素（４２）を含むことを特徴とする請求項１３に記載の取付台。
【請求項１５】
前記取付台が業務用の共通フレーム（１１）に取り付けられた複数のキャリア構造（１３）で構成され、フレームの全体的剛性に寄与するように前記複数のキャリア構造（１３）を前記フレームにしっかりと取り付けることを特徴とする請求項１ないし１４のいずれかに記載の取付台。
【請求項１６】
前記取付台が業務用の前記共通フレーム（１１）にしっかりと取り付けられた複数のキャリア構造（１３）で構成され、地上ベースから振動が伝達されないようにフレーム内の前記ディスク・ファイル（１４）を分離するために、地上ベースと浮動関係を成すようにフレームに取り付ける手段を含むことを特徴とする請求項１ないし１５のいずれかに記載の取付台。
【請求項１７】
前記または各キャリア構造（１３）が、前記ディスク・ファイル（１４）を前記キャリア構造（１３）に挿入したときに、ディスク・ファイル（１４）の対応するコネクタと接続するように適応させたコネクタを含み、前記くさび手段のくさび係合運動中に、前記コネクタが前記キャリア構造（１３）に対し移動できるように、前記キャリア構造（１３）の前記コネクタが前記キャリア構造（１３）上に浮動取付台を有することを特徴とする請求項１ないし１６のいずれかに記載の取付台。
【請求項１８】
前記または各キャリア構造（１３）は、前記ディスク・ファイル（１４）を前記キャリア構造（１３）に挿入したときに、前記ディスク・ファイル（１４）の対応するコネクタと接続するように適応させたコネクタを含み、前記キャリア構造（１３）の前記コネクタは、前記ディスク・ファイル（１４）を前記キャリア構造（１３）に挿入したときに、前記キャリア構造（１３）の両側の位置に配置され、前記キャリア構造（１３）に対し前記ディスク・ファイル（１４）を横方向に移動させることなく、くさび作用を達成するように構成されたくさび手段と協動して、ディスク面に対し固定される前記キャリア構造（１３）上の取付台を有することを特徴とする請求項１〜５、７〜１７のいずれかに記載の取付台。
【請求項１９】
データ記憶ディスクと、可動ディスク・ヘッドと、前記ディスクとディスク・ヘッドとを支持する本体（１５）とを有する前記ディスク・ファイル（１４）を取り付ける方法において、前記方法は、
前記キャリア構造（１３）の決められた空間に前記ディスク・ファイル（１４）を挿入する段階と、
前記ディスク・ファイル（１４）空間の周囲に間隔を置いて配置された少なくとも２つの位置で、くさび手段（１９、２０）を前記ディスク・ファイル（１４）の本体と前記キャリア構造（１３）との間で作動するように移動させ、前記ディスク・ファイル（１４）を固定して前記キャリア構造（１３）に対し移動しないようにする段階とで構成され、このくさび手段は各位置において、前記ディスク・ファイル（１４）に作用する第１くさび表面（２２）と、前記キャリア構造（１３）に作用する第２くさび表面（２３）を有しているものにおいて、
前記くさび手段（１９、２０）を各位置で個別に駆動して異なったくさび運動範囲を可能ならしめるようなくさび係合状態にすることと、
前記くさび手段（１９、２０）がくさび係合状態のときに、前記ディスク・ファイル（１４）を作動させることと、
前記くさび手段（１９、２０）のくさび係合状態を解除して、前記ディスク・ファイル（１４）を前記キャリア構造（１３）から取り出すことができることと、を特徴とする方法。
【請求項２０】
請求項２ないし１８のいずれかに記載の取付台の作動によって前記ディスク・ファイル（１４）を取り付けることを特徴とする請求項１９に記載の方法。
【発明の詳細な説明】
本発明は、データ記憶ディスク、可動ディスク・ヘッド、およびディスクとヘッドを支持する本体を有するディスク・ファイル用の取付台に関する。
従来のディスク・ファイルでは、データ記憶ディスクは通常、縦軸を中心に回転するように水平方向に取り付けられ、また本体またはシャーシ上に取り付けられる。ディスク・ヘッドは読出し専用ヘッドまたは読み書きヘッドのどちらでもよく、ディスク上を所望のトラックへ移動できるように、ディスク・ファイルの本体に移動可能に取り付けられる。状況によっては、ディスク・ファイルは他の装置のフレームに永久的にしっかりと固定されることもあるが、ディスク・ファイルは支持フレームから容易に着脱できるように取り付けなければならない場合が多い。例えば、テスタ・ラックでは、プラスチック材から成形した別々のキャリアに各ディスク・ファイルをはめ込み、次にそのキャリアをテスタ・ラックに装填するのが従来のやり方である。他の適用分野では、取外し可能ディスク・ファイルをコンピュータに取外し可能に取り付ける。
構成によっては、ディスク・ファイルは、横軸を中心に回転するように垂直方向に取り付けることができる。本明細書では一般に、ディスクを水平面に配置したディスク・ファイルの例について説明するが、その説明は、横軸を中心に回転するように垂直面に配置したり、実際その他の適切な構成に配置したディスク・ファイルにも、同様に適用されることを理解されたい。
ディスク・ファイルの作動中に発生する問題は、ディスク・ヘッドが所望のトラックにシーク移動する最後に発生する。特に高性能ディスク・ファイルの場合、読み書きヘッドを含むアクチュエータのアクセス加速および減速により、ディスク・ファイルの本体に同じ大きさの反作用が発生する。この反作用のために、ファイルがその取付台で振動を発生することがあり、したがってその反作用はファイルに入力を生じる。その結果、トラックに対するヘッドの位置決めに望ましくないずれ（ミスレジストレーション）が発生する。近年、ディスク・ファイルのアクチュエータは、一般に線形動作方式から回転動作方式に変化してきており、読出し／書込みヘッドは、ディスク・ファイルの本体のディスクの外周より外側に配置された縦軸（水平ディスクの場合）を中心として、弧を描くようにディスク上を移動する。こうした回転アクチュエータの加速および減速によって発生する振動は、水平面のディスク・ファイルの本体の回転振動を生じる。
このような振動の効果を減少または回避する１つの方法は回転振動が生じないように固定した状態でファイルの本体を、接地されたフレームにしっかりと取り付けることであり、別の方法は、浮動取付台（floating mounting）、またはアクチュエータ・サーボがごくわずかな誤差で振動に従動できるような低い周波数でしか移動できない取付台に、ディスク・ファイルの本体を取り付けることである。ファイルをこれらの極端な方法（しっかりと取り付けるか、または浮動取付台に取り付ける）の１つによって取り付けなければ、ファイルがそのオン・トラック基準を満たした後で、取付台の振動のために、ヘッド／トラック誤差信号が発生する。その結果生じるミスレジストレーションが検出され、一般に書込み障害エラーとして知られる状態が発生し、ファイルの書込みができず、したがってファイルの性能が低下する。
ディスク・ファイルの着脱を容易にすることが要求される場合、上述の極端な状況のいずれかによる取付は困難である。例えばファイル・テスタ・ラックの場合、着脱はできるだけ簡単でなければならない。また、テスタは空間効率も高くする必要があるが、周波数の低い取付台は必要とする空間が大きすぎるので、この選択肢は除外される。最後に、テスタ・フレームは、適正な低コストで製造できなければならない。
くさび形の断面を有するカムでディスク・ファイルを固定することが過去に知られているが、これは輸送中にディスクを非動作位置に固定するために行われてきたものである。米国特許第４，８９６，７７７号（ルイス）に、コンピュータ回路基板カード・ケージにディスク駆動機構を取り付ける取付システムが開示されている。このシステムは、通常の動作中にディスク駆動装置を取り付けるために、ディスク駆動機構の両側に２個づつ設けられた複数の緩衝台を含む。さらに、ディスク駆動機構の側部にある適切な開口部にロック・ピンを係合したときに、ディスク駆動装置を非動作位置に保持する４個のロック・ピンが設けられている。ロック・ピンを制御するための制御機構は、ロック・ピンをディスク駆動機構と係合させるように取付台の位置に対して移動できる変位可能カムから成る。変位可能カムは、くさび形断面を有する。このカムを使用するのは、ディスク駆動装置を非動作位置に保持する位置にロック・ピンを移動させるためであり、ディスク駆動装置の通常の動作中は、ロック・ピンは解除される。
本発明の目的は、少なくとも好適な実施例で、特に回転方向に対して、ディスク・ファイルをしっかりと固定する低価格の取付台を提供することであり、迅速かつ容易に着脱可能なディスク・ファイルを提供することである。
本発明に従って、データ記憶ディスク、可動ディスク・ヘッド、およびディスクとディスク・ヘッドを支持する本体を有するディスク・ファイル用の取付台を提供する。この取付台は、ディスク・ファイルを挿入できる空間を構成するキャリア構造、および移動可能なくさび手段で構成される。くさび手段は、ディスク・ファイルをキャリア構造に対し移動しないように固定するために、ディスク・ファイル空間の周囲の間隔を置いた少なくとも２つの位置において、ディスク・ファイルの本体とキャリア構造との間で作動する。このくさび手段は、ディスク・ファイルを作動可能状態におくべくキャリア構造に着脱可能に固定するように構成されており、取付台は、くさび手段を各位置で別々に駆動してくさび係合状態にするための手段を包含する。
くさび手段を駆動してくさび係合状態にする手段は、ばね手段で構成することが望ましい。
本発明は、可動ディスク・ヘッドのアクチュエータ機構がディスク・ヘッドを回転しながらディスク上を移動させる場合に、特に有用であり、取付台は、ディスク・ファイルをディスク面でキャリア構造に対し回転運動しないように固定する位置にくさび手段を配置して構成する。
キャリア構造は、基部と、ディスク面が両側部を横切る状態でディスク・ファイルを両側部の間に挿入するように構成された相対する２つの側部とを有し、くさび手段は移動可能であり、ディスク・ファイルの本体とキャリアの一方または両方の側部との間で作動することが望ましい。特定の好適な形態では、くさび手段は、キャリア手段の一方の側部に沿って間隔を置いて配置されたそれぞれ第１および第２位置において、ディスク・ファイルの本体とキャリア構造の前記一方の側部との間で作動するように配置された第１および第２くさび手段で構成される。第１および第２位置は、キャリアの前記側部のそれぞれの端部近くに配置することが望ましく、ディスク・ファイルの指定取付位置に対し反対側に配置することが望ましい。２つの相対する側部は、ディスク・ファイルをキャリア構造に挿入したときに、ディスク面に対し実質的に直交するように配置することが望ましく、キャリア構造の基部はディスク面に実質的に平行にすると好都合である。取付台は、２つの相対する側部を実質的に垂直に、基部を実質的に水平に構成すると、好都合である。
１つの好適な構成では、ディスク・ファイルの他方の側部を、キャリア構造の他方の側部の固定部に隣接させる。別の好適な構成では、くさび手段は、キャリア構造の他方の側部に沿って間隔を置いて配置されたそれぞれ第３および第４位置において、ディスク・ファイルの本体とキャリア構造の前記他方の側部との間で作動するように配置された第３および第４くさび手段で構成される。
くさび手段は、ディスク・ファイルをキャリアに装着したときに、ディスク・ファイルのディスク面を横切る方向に移動するように、キャリア構造に取り付けることが特に望ましい。くさび手段は、ディスク・ファイルをキャリアに装着したときに、ディスク・ファイルのディスク面に実質的に直交する方向に移動するように取り付けると好都合であり、くさびの移動は実質的に垂直方向に行われることが望ましい。各くさび手段は、ディスク・ファイルをキャリア構造に装着したときに、キャリア構造とディスク・ファイルの本体との間に挿入できるように取り付けられたくさびで構成すると好都合である。
くさび手段は、２つの係合面の摩擦角度の±５０％の範囲のくさび角度で、キャリアの表面と係合するくさび面を有することが望ましく、くさび角度は摩擦角度の±２０％の範囲であることがさらに望ましく、くさび角度は２つの係合面の摩擦角度と等しいか、ほぼ等しいことが最も望ましい。摩擦角度とは、力が相対すべりを引き起こし始めるときの接触面の法線と、その結果生じる接触面間の抗力の反作用との間の角度を意味する。くさびでひとつに係合する２つの表面は合成可塑材で設けると好都合であり、材料間の摩擦係数は０．１ないし０．３の範囲とすることが望ましく、０．２に等しくすることが望ましい。くさび角度は１０°ないし１５°の範囲が望ましく、好ましい角度は１２°である。
１つの好適な形態では、取付台は、くさびをキャリア構造に対して移動させるための駆動リンク装置を含み、この駆動リンク装置は、くさび手段を駆動してくさび係合状態にするための駆動手段、およびディスク・ファイルをキャリア構造に挿入した後でディスク・ファイルによって係合可能な制御部材を含み、この制御部材は、ディスク・ファイルをキャリア構造内に押し込んだときに、くさび手段の前記移動を達成するように構成する。制御部材は、ディスク・ファイルをキャリア構造内に押し込んだときに、直立ブラケットが後部に向かって移動してリンク装置の残部を起動するように配置した、キャリア構造の後部の直立ブラケットで構成することが望ましい。また、駆動リンク装置は、手動操作可能な排出要素を操作すると、制御部材を逆方向に移動してくさび手段をくさび係合から解除し、ディスク・ファイルを排出するように構成された、手動操作可能な排出要素を含むことが望ましい。排出要素は、キャリア構造の正面部から突出し、制御部材を前方方向に移動させ、ディスク・ファイルを部分的にキャリアから押し出させるために、オペレータが動かすことのできるレバーであることが望ましい。
本発明は、取付台が業務用の共通フレームに取り付けられた複数のキャリア構造で構成され、複数のキャリア構造が、フレーム全体の総剛性に寄与するように、フレームにしっかりと取り付けられる場合に、特に有用である。複数のキャリア構造は、共通フレームと共に蜂の巣構造を形成することが望ましく、これを使用することにより、プラスチック成形部品でも実質的剛性を達成することができる。
さらに、取付台は共通フレームにしっかりと取り付けられた複数のキャリア構造で構成され、フレーム内のディスク・ファイルを地上ベースから伝わる振動から分離するために、フレームを地上ベースに対し浮動関係に取り付けるための手段を含むことが望ましい。そうした構成では、各ディスク・ファイルの本体を共通フレームに対してしっかりと取り付けた状態で保持して、ディスク・ファイルの加速および減速に対する反作用の影響を低下しながら、同時に、フレーム全体の浮動取付台を利用して、地面からの振動が個々のディスク・ファイルに伝達されるのを防止することができる、という利点を導き出すことができる。
１つの好適な構成では、キャリア構造は、ディスク・ファイルをキャリア構造に挿入したときに、ディスク・ファイル上の対応するコネクタと接続されるように適応させたコネクタを含むことができ、キャリア構造のコネクタは、くさび手段のくさび係合運動中にキャリアに対してコネクタが移動できるように、キャリア上に浮動取付台を有する。このような構成は、くさび手段が、キャリア構造の前記一方の側部に沿って間隔を置いて配置されたそれぞれ第１および第２位置において、キャリア構造の一方の側部とディスク・ファイルの本体との間で作動するように配置された第１および第２くさび手段で構成され、ディスク・ファイルの他方の側部がキャリア構造の他方の側部の固定部と隣接する場合に、便利に使用することができる。
別の好適な構成では、キャリア構造または各キャリア構造は、ディスク・ファイルをキャリア構造に挿入したときに、ディスク・ファイル上の対応するコネクタと接続されるように適応させたコネクタを含むように構成することができ、ディスク・ファイルをキャリア構造に挿入したときに、キャリア構造のコネクタは、キャリア構造の相対する側部の位置に配置され、キャリア構造に対するディスク・ファイルの横方向の移動無しで、くさび係合動作を達成するように構成されたくさび手段と協動して、ディスク面に対し固定される取付台をキャリア構造上に有する。
本書で、本発明の特徴を本発明による装置に関連して記述する場合、そうした特徴は、本発明による方法に関連しても達成され、その逆もしかりであることを理解されたい。
特に、本発明では、データ記憶ディスク、可動ディスク・ヘッド、およびディスクとディスク・ヘッドを支持する本体を有するディスク・ファイルを取り付ける方法を提供する。この方法は、キャリア構造における決められた空間にディスク・ファイルを挿入する段階と、ディスク・ファイルをキャリア構造に対して移動しないように固定するために、ディスク・ファイル空間の周囲に間隔を置いて配置された少なくとも２つの位置において、ディスク・ファイルの本体とキャリア構造との間で作動するようにくさび手段を運動させる段階であって、くさび手段を各位置で別々にくさび係合状態となるように駆動することによってくさび手段が運動する段階と、くさび手段がくさび係合状態のときにディスク・ファイルを作動させる段階と、ディスク・ファイルをキャリア構造から取り出すことができるように、くさび手段のくさび係合を解除する段階とで構成される。
次に、以下の添付の図面を参照しながら、本発明の実施例について説明する。
図１は、本発明を具体化するディスク・ファイル用の取付台を有するテスタ・ラックの正面斜視図である。
図２は、本発明を具体化するディスク・ファイル用の取付台の正面斜視図であり、取付台におけるディスク・ファイルを示す。
図３ａ、図３ｂ、および図３ｃはそれぞれ、図２に示す取付台の正面斜視図、平面図、および正面図である。
図４は、図２および図３ｃに示す取付台の底面斜視図である。
図５は、上図に示す取付台の一部分を構成するくさび要素の側面斜視図である。
図６ａおよび図６ｂは、図５のくさびの略側面断面図であり、それぞれ非くさび係合位置およびくさび係合位置におけるくさびを示す。
図７は、図２に示す取付台のレイアウトの変化例において、ディスク・ファイルを挿入しない場合の略正面斜視図である。
図１は、ディスク・ファイルを試験するために複数のディスク・ファイルを作業位置に搭載するため、本発明を実現した取付台を備えたテスタを示す。共通フレームまたはラック１１は３つの垂直側板を有し、その間に、以下で詳細に説明する複数のキャリア１３が構成される。各キャリア１３は、作業のためにディスク・ファイルを取外し可能に挿入できる空間を構成し、ディスク・ファイルはラック１１の正面から挿入される。
図２ないし図４は、単一のキャリア１３を示す。図２および図４では、キャリア１３に挿入されたディスク・ファイルを一般に符号１４で示す。ディスク・ファイルは、図面に矩形のケーシングまたはシャーシ１５として示す本体、およびケーシング１５内にあるデータ記憶ディスク、可動読出し専用または読み書きヘッド、およびディスク・ヘッドをディスク上で移動させる回転アクチュエータで構成されるが、これらは全て従来のものであり、図には示さない。キャリア１３は、基部１６と、相対する第１側部１７および第２側部１８とで構成される。側部１８には、ディスク・ファイルをキャリア構造に対し水平面内で回転運動しないように固定するため、ディスク・ファイルの本体１５とキャリアの側部１８との間で作動するように構成された、一般に符号１９、２０で示す第１および第２くさび手段が付随する。くさび手段１９、２０は、ディスク・ファイル１４の標準指定取付位置の相対する２つの位置に配置する。
特に図２および図５を参照すると、各くさび手段、例えばくさび手段１９は、くさび係合動作を生じるために下向きに移動可能な可動くさび２１で構成される。図５を参照すると、くさび２１は、第１垂直くさび面２２（くさび２１の隠れた側面）と、垂直に対し図６ａおよび図６ｂに符号αで示す約１２°の角度に傾斜した第２くさび面２３とを有する。くさび２１の第１表面２２は、ディスク・ファイルの本体の垂直側面２４に押しつけられ、くさび２１の第２表面２３は、キャリア１３の側部１８の内部表面２４（図６ａ）に押しつけられる。ディスク・ファイルの標準指定取付位置は、図式的に符号２６Aで示す。
くさび２１の下向きのくさび係合運動は、下向きの板ばね２６によって達成される。この板ばねは図２および図式的に図６に示すが、その他の図では簡素化のために省略する。板ばね２１は、キャリア構造の側部１８の中心位置に固定され、くさび２１の支持面２７を下方向に圧迫する。くさび２１の上向きおよび下向きの運動は、突起ピン２８が図５に示すくさび２１の穴３５によって構成される傾斜２９と協動することによって、制御される。
くさびの拘束力の詳細は、図２、図３ａ、および図５から明らかである。具体的には、２つの側部突出ラグ５０、５１がキャリアの側部１８の側部表面５２、５３と協動し、くさび２１の第２くさび面２３の案内突起５５が、キャリアの側部１８の下部にある案内スロット５６と協動する。
ピン２８（図２および図４）は駆動リンク装置の一部を構成し、次に、これについて、図３ａ、図３ｂ、図３ｃ、および図４を参照しながら、具体的に説明する。制御リンク装置は主として可動トレー構造３０から成り、これは主要水平本体３１を有し、そこから上向きに制御部材３２および側面部材３３が突起する。制御部材３２は、ディスク・ファイル１４をキャリア構造に挿入したときにディスク・ファイル１４の後部と直接または間接的に係合するように配置する。側面部材３３は、各くさび２１の穴に入るように水平方向に横向きに突出する、第１および第２くさび手段１９、２０の２つの制御ピン２８を具備する。
次に、図３ａおよび図４を参照しながら、ディスク・ファイル１４を挿入中の取付台の全体的なくさび係合動作について、概略的に説明する。ディスク・ファイル１４を挿入すると、ファイルの後部が制御部材３２と係合し、制御トレー３０が水平方向に後部に向かって移動する。制御トレー３０は側面部材３３を後部方向に運び、各制御ピン２８がくさび２１のそれぞれの穴３５の中で後部方向に移動する。制御ピン２８が後部方向に移動すると、傾斜２９が制御ピン２８に対して下向きに移動するので、くさび２１は自由になり、ばね２６の作用により下向きに移動する。これは、ファイル１４がキャリア１３内に定位置まで完全に押し込まれるまで続き、完全に押し込まれた段階で、各くさび２１は図６ｂに示すように、完全に下降し、ディスク・ファイルのディスク・ヘッドの動作中にディスク・ファイルが水平移動しないように、ディスク・ファイルを固定する。
次に、図３ａ、図３ｂ、図３ｃ、および図４に関連して、制御リンク装置の残部について説明する。制御トレー３０は、トレーの符号４１における内曲線を構成する突出フィンガ４０を含む。キャリア１３の基部１６の下側には、水平面で旋回運動するようにピボット・ピン４３で旋回する、手動操作可能な旋回式排出要素４２を取り付ける。旋回運動の程度は、基部１６の弧状スロット４５内を移動するストップ・ピン４３によって制御される。排出要素４２は、前方に突出した手動操作可能なレバー部４６から成り、これは、図３ｂの平面図に示すように、キャリア１３の正面から突出する。排出要素４２のピボット４３の反対側には、図４に示すように、内曲線４１内に伸長してトレー・フィンガ４０の後部方向を向いた表面と係合する突出フィンガ４７がある。
制御トレー３０の好適な変化例では、内曲線４１の方を向いたトレー・フィンガ４０の内部表面の内縁部を、フィンガ４７と協動する渦巻き形にして、フィンガ４０、４７の協動表面の摩耗を軽減する。
次に、主として図３ａおよび図４を参照しながら、ディスク・ファイル１４の取外しについて説明する。取外しは、排出要素を動かしてレバー４６を図３ａの左側に突出させることにより、駆動される。フィンガ４７がフィンガ４０と接触することにより、制御トレー３０が前方向に移動し、これにより、今度は各ピン２８が各くさび２１の各穴３５の中で前方に移動する。特に図２に示すように、その効果により、ピン２８は傾斜２９に対して前方に移動し、ばね２４の作用に対抗してくさび２１を上向きに押し上げ、こうしてディスク・ファイル１４に対するくさび係合効果が解除される。ディスク・ファイル１４は通常、テスタ・ラック１１の後部で複数のピン・コネクタと係合するため、ディスク・ファイルの正面を手動的に引っ張るだけではプラグを外すことがしばしば困難なので、この排出手順は特に便利である。キャリアの基部のピン４３を中心に旋回するレバー４６によって、相当な機械的利点が達成される。
次に、板ばね２６について詳細に検討する。特に、図５、図６ａ、および図６ｂから、軸受表面２７が図６ａおよび図６ｂの右側に向かって下向きに、くさび２１の２つの表面２２、２３の間のくさび角度と同一の水平方向に対する角度で、傾斜することが分かる。この傾斜した軸受表面２７の目的は、ばね２４が、くさび２１の表面２３の動きと平行な方向に、くさび２１と共に下向きに移動することを確実にすることである。この構成により、軸受表面２７を水平にした場合のように、ばね２６を軸受表面２７上を横方向にすべらせる必要がなくなる。
再び図２を参照する。キャリア構造１３は、ディスク・ファイルをキャリア構造に挿入したときに、ディスク・ファイル１４の対応するコネクタ（図示せず）に接続されるように適応させたコネクタ（図示せず）を含むことが望ましい。キャリア構造のコネクタは、くさび手段のくさび係合運動中にコネクタがキャリアに対して移動できるように、キャリア上に浮動取付台を具備することが望ましい。ディスク・ファイル１４はキャリア１３の左側の側部１７を押しつけるように着座するので、図２のくさび手段１９、２０のくさび係合運動中のディスク・ファイル１４の図２の左方向の移動は、ごくわずかであることを理解されたい。この移動は、コネクタの浮動取付台によって受容される。ディスク・ファイルはくさび係合動作中に横方向に移動しなければならないので、コネクタが単に可揺型であるだけでなく、可揺型部品を移動させるために力をほとんど必要としないことも重要である。そうでなければ、ディスク・ファイルをくさび係合作用によってしっかりと固定することを、保証することは不可能である。
図７に図式的に示す代替構成では、キャリア１３の後部に伸長する後面６２に、２つの固定コネクタ６０、６１を取り付ける。図２のくさび手段１９、２０を、図７ではキャリア構造１３の右側側部１８に図式的に示す。図７の実施例では、キャリア１３の反対側の側部１７にさらに２つのくさび手段１９′、２０′を設ける。４つのくさび手段１９、２０、１９′、２０′は全て、ディスク・ファイルの標準指定取付位置と整列するように配置する。図７の変化例における４つのくさび手段１９、２０、１９′、２０′は各々、前の図に関連して説明したくさび手段１９または２０と同じものとすることができる。各くさび手段１９、２０、１９′、２０′は、板ばね２６の作用によって、各位置で別々にくさび係合状態になるように駆動されるので、ディスク・ファイルは、コネクタ６１、６２に対して横方向に移動することなく、キャリア構造に対して水平方向に移動しないように、くさび係合作用によって固定することができる。したがって図７に示す構成では、ディスク・ファイルを挿入し、固定接続システムに差し込んで固定することができる。ディスク・ファイルにおける標準指定取付位置とキャリア構造１３との間の間隙は、両側ともくさび手段によって吸収される。くさび手段を使用することにより、ディスク・ドライブ／キャリア取付器具の組み合わせ全体で、確実な面対面の締め付け接触が達成される。
必要な場合、浮動接続を設けることを前提として、本発明の範囲内で、他の構成のくさび手段を使用できることを理解されたい。例えば、ディスク・ファイル空間のそれぞれの側部に１つづつ、ディスク・ファイル空間の側部の方向に沿って互い違いの位置に２つだけのくさび手段を設け、動作中にディスク・ファイルが固定されるディスク・ファイル空間の反対側におけるキャリア構造の固定部の反対側に、各くさび手段を配置することができる。したがって、一般に、別のくさび手段の反対側に配置することによって、あるいはキャリア構造の所定の固定部の反対側に配置することによって、ディスク・ファイルが所定の位置にしっかりと固定されるように位置決めした２つ以上のくさび手段を、ディスク・ファイル空間の周囲に間隔を置いて設けることができる。
【図１】
0003996951.tif 000002
【図２】
0003996951.tif 000003
【図３ａ】
0003996951.tif 000004
【図３ｂ】
0003996951.tif 000005
【図３ｃ】
0003996951.tif 000006
【図４】
0003996951.tif 000007
【図５】
0003996951.tif 000008
【図６ａ】
0003996951.tif 000009
【図６ｂ】
0003996951.tif 000010
【図７】
0003996951.tif 000011